【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  撮像装置の振れを検出する振れ検出工程と、前記振れ検出工程の検出結果に応じて撮影像の振れを補正する振れ補正工程と、撮影像の振れを補正するか否かを選択する選択工程と、前記選択工程の選択結果に応じて前記振れ補正工程による振れ補正を開始させる際に前記振れ検出工程の出力である補正量が所定値のときに振れ補正を開始するように制御する制御工程とを有することを特徴とする撮像方法。
【請求項２】  前記所定値は、０近傍であることを特徴とする請求項１記載の撮像方法。
【請求項３】  撮像装置の振れを検出する振れ検出手段と、前記振れ検出手段の検出結果に応じて撮影像の振れを補正する振れ補正手段と、撮影像の振れを補正するか否かを選択する選択手段と、前記選択手段の選択結果に応じて前記振れ補正手段による振れ補正を開始させる際に前記振れ検出手段の出力である補正量が所定値のときに振れ補正を開始するように制御する制御手段とを有することを特徴とする撮像装置。
【請求項４】  前記所定値は、０近傍であることを特徴とする請求項３記載の撮像装置。
【請求項５】  光を電荷に変換する光電変換手段を放送方式にて必要とするイメージサイズの画素数よりも多く配置した撮像手段を有し、前記振れ補正手段は、前記撮像手段から放送方式にて必要とするイメージサイズの画素数を選択することにより撮影像の振れを補正することを特徴とする請求項３に記載の撮像装置。
【請求項６】  前記放送方式は、ＮＴＳＣ方式であることを特徴とする請求項５に記載の撮像装置。
【請求項７】  前記振れ検出手段は、少なくとも角速度検出手段と積分手段と通過帯域を可変する可変帯域制限手段とを含んでいることを特徴とする請求項３に記載の撮像装置。
【請求項８】  前記振れ検出手段は、撮像面に対して縦方向と横方向の２方向に関して検出することを特徴とする請求項３に記載の撮像装置。
【請求項９】  被写体像の変倍を行う変倍工程と、前記変倍工程の倍率を検出する倍率検出工程と、撮像装置の振れを検出する振れ検出工程と、前記振れ検出工程の検出結果に応じて撮影像の振れを補正する振れ補正工程と、撮影像の振れを補正するか否かを選択する選択工程と、前記選択工程の選択結果に応じて前記振れ補正工程による振れ補正を開始させる際に前記振れ検出工程の出力である補正量が所定値のときに振れ補正を開始するように制御する制御工程とを有することを特徴とする撮像方法。
【請求項１０】  前記所定値は、０近傍であることを特徴とする請求項９記載の撮像方法。
【請求項１１】  前記振れ検出工程の出力である補正量に前記倍率検出工程の出力に応じて所定利得を乗ずること特徴とする請求項９に記載の撮像方法。
【請求項１２】  被写体像の変倍を行う変倍手段と、前記変倍手段の倍率を検出する倍率検出手段と、撮像装置の振れを検出する振れ検出手段と、前記振れ検出手段の検出結果に応じて撮影像の振れを補正する振れ補正手段と、撮影像の振れを補正するか否かを選択する選択手段と、前記選択手段の選択結果に応じて前記振れ補正手段による振れ補正を開始させる際に前記振れ検出手段の出力である補正量が所定値のときに振れ補正を開始するように制御する制御手段とを有することを特徴とする撮像装置。
【請求項１３】  前記所定値は、０近傍であることを特徴とする請求項１２に記載の撮像装置。
【請求項１４】  前記振れ検出手段の出力である補正量に前記倍率検出手段の出力に応じて所定利得を乗ずること特徴とする請求項１２に記載の撮像装置。
【請求項１５】  光を電荷に変換する光電変換手段を放送方式にて必要とするイメージサイズの画素数よりも多く配置した撮像手段を有し、前記振れ補正手段は、前記撮像手段から放送方式にて必要とするイメージサイズの画素数を選択することにより撮影像の振れを補正することを特徴とする請求項１２に記載の撮像装置。
【請求項１６】  前記放送方式は、ＮＴＳＣ方式であることを特徴とする請求項１５に記載の撮像装置。
【請求項１７】  前記振れ検出手段は、少なくとも角速度検出手段と積分手段と通過帯域を可変する可変帯域制限手段とを含んでいることを特徴とする請求項１２に記載の撮像装置。
【請求項１８】  前記振れ検出手段は、撮像面に対して縦方向と横方向の２方向に関して検出することを特徴とする請求項１２に記載の撮像装置。
【請求項１９】  前記振れ補正手段は、変倍レンズと撮像手段との間に配置された光学手段であることを特徴とする請求項１２に記載の撮像装置。
【請求項２０】  前記光学手段は、シフトレンズであることを特徴とする請求項１９に記載の撮像装置。
【請求項２１】  前記光学手段は、可変頂角プリズムであることを特徴とする請求項１９に記載の撮像装置。
【請求項２２】  撮像装置を制御するための制御プログラムを格納する記憶媒体であって、撮像装置の振れを検出し、該振れ検出の検出結果に応じて撮影像の振れを補正し、撮影像の振れを補正するか否かを選択し、その選択結果に応じて撮影像の振れ補正を開始させる際に前記振れ検出の出力である補正量が所定値のときに振れ補正を開始するように制御するステップの制御モジュールを有する制御プログラムを格納したことを特徴とする記憶媒体。
【請求項２３】  前記所定値は、０近傍であることを特徴とする請求項２２に記載の記憶媒体。
【請求項２４】  撮像装置を制御するための制御プログラムを格納する記憶媒体であって、被写体像の変倍を行い、前記変倍の倍率を検出し、撮像装置の振れを検出し、該振れ検出の検出結果に応じて撮影像の振れを補正し、撮影像の振れを補正するか否かを選択し、その選択結果に応じて撮影像の振れ補正を開始させる際に前記振れ検出の出力である補正量が所定値のときに振れ補正を開始するように制御するステップの制御モジュールを有する制御プログラムを格納したことを特徴とする記憶媒体。
【請求項２５】  前記所定値は、０近傍であることを特徴とする請求項２４に記載の記憶媒体。
【請求項２６】  前記制御プログラムは、前記振れ検出の出力である補正量に前記倍率検出の出力に応じて所定利得を乗ずるステップの制御モジュールを有すること特徴とする請求項２４に記載の記憶媒体。
【手続補正２】
【補正対象書類名】明細書
【補正対象項目名】００１２
【補正方法】変更
【補正の内容】
【００１２】
【課題を解決するための手段】
上記第１の目的を達成するために請求項１記載の撮像方法は、撮像装置の振れを検出する振れ検出工程と、前記振れ検出工程の検出結果に応じて撮影像の振れを補正する振れ補正工程と、撮影像の振れを補正するか否かを選択する選択工程と、前記選択工程の選択結果に応じて前記振れ補正工程による振れ補正を開始させる際に前記振れ検出工程の出力である補正量が所定値のときに振れ補正を開始するように制御する制御工程とを有することを特徴とする。
【手続補正３】
【補正対象書類名】明細書
【補正対象項目名】００１４
【補正方法】変更
【補正の内容】
【００１４】
また、上記第１の目的を達成するために請求項３記載の撮像装置は、撮像装置の振れを検出する振れ検出手段と、前記振れ検出手段の検出結果に応じて撮影像の振れを補正する振れ補正手段と、撮影像の振れを補正するか否かを選択する選択手段と、前記選択手段の選択結果に応じて前記振れ補正手段による振れ補正を開始させる際に前記振れ検出手段の出力である補正量が所定値のときに振れ補正を開始するように制御する制御手段とを有することを特徴とする。
【手続補正４】
【補正対象書類名】明細書
【補正対象項目名】００１６
【補正方法】変更
【補正の内容】
【００１６】
また、上記第１の目的を達成するために請求項５記載の撮像装置は、請求項３記載の撮像装置において、光を電荷に変換する光電変換手段を放送方式にて必要とするイメージサイズの画素数よりも多く配置した撮像手段を有し、前記振れ補正手段は、前記撮像手段から放送方式にて必要とするイメージサイズの画素数を選択することにより撮影像の振れを補正することを特徴とする。
【手続補正５】
【補正対象書類名】明細書
【補正対象項目名】００２０
【補正方法】変更
【補正の内容】
【００２０】
また、上記第１の目的を達成するために請求項９記載の撮像方法は、被写体像の変倍を行う変倍工程と、前記変倍工程の倍率を検出する倍率検出工程と、撮像装置の振れを検出する振れ検出工程と、前記振れ検出工程の検出結果に応じて撮影像の振れを補正する振れ補正工程と、撮影像の振れを補正するか否かを選択する選択工程と、前記選択工程の選択結果に応じて前記振れ補正工程による振れ補正を開始させる際に前記振れ検出工程の出力である補正量が所定値のときに振れ補正を開始するように制御する制御工程とを有することを特徴とする。
【手続補正６】
【補正対象書類名】明細書
【補正対象項目名】００２２
【補正方法】変更
【補正の内容】
【００２２】
また、上記第１の目的を達成するために請求項１１記載の撮像方法は、請求項９記載の撮像方法において、前記振れ検出工程の出力である補正量に前記倍率検出工程の出力に応じて所定利得を乗ずること特徴とする。
【手続補正７】
【補正対象書類名】明細書
【補正対象項目名】００２３
【補正方法】変更
【補正の内容】
【００２３】
また、上記第１の目的を達成するために請求項１２記載の撮像装置は、被写体像の変倍を行う変倍手段と、前記変倍手段の倍率を検出する倍率検出手段と、撮像装置の振れを検出する振れ検出手段と、前記振れ検出手段の検出結果に応じて撮影像の振れを補正する振れ補正手段と、撮影像の振れを補正するか否かを選択する選択手段と、前記選択手段の選択結果に応じて前記振れ補正手段による振れ補正を開始させる際に前記振れ検出手段の出力である補正量が所定値のときに振れ補正を開始するように制御する制御手段とを有することを特徴とする。
【手続補正８】
【補正対象書類名】明細書
【補正対象項目名】００２４
【補正方法】変更
【補正の内容】
【００２４】
また、上記第１の目的を達成するために請求項１３記載の撮像装置は、請求項１２記載の撮像装置において、前記所定値は、０近傍であることを特徴とする。
また、上記第１の目的を達成するために請求項１４記載の撮像装置は、請求項１２記載の撮像装置において、前記振れ検出手段の出力に前記倍率検出手段の出力である補正量に応じて所定利得を乗ずること特徴とする。
【手続補正９】
【補正対象書類名】明細書
【補正対象項目名】００２５
【補正方法】変更
【補正の内容】
【００２５】
また、上記第１の目的を達成するために請求項１５記載の撮像装置は、請求項１２記載の撮像装置において、光を電荷に変換する光電変換手段を放送方式にて必要とするイメージサイズの画素数よりも多く配置した撮像手段を有し、前記振れ補正手段は、前記撮像手段から放送方式にて必要とするイメージサイズの画素数を選択することにより撮影像の振れを補正することを特徴とする。
【手続補正１０】
【補正対象書類名】明細書
【補正対象項目名】００３１
【補正方法】変更
【補正の内容】
【００３１】
また、上記第１の目的を達成するために請求項２１記載の撮像装置は、請求項１９記載の撮像装置において、前記光学手段は、可変頂角プリズムであることを特徴とする。
【手続補正１１】
【補正対象書類名】明細書
【補正対象項目名】００３２
【補正方法】変更
【補正の内容】
【００３２】
また、上記第２の目的を達成するために請求項２２記載の記憶媒体は、撮像装置を制御するための制御プログラムを格納する記憶媒体であって、撮像装置の振れを検出し、該振れ検出の検出結果に応じて撮影像の振れを補正し、撮影像の振れを補正するか否かを選択し、その選択結果に応じて撮影像の振れ補正を開始させる際に前記振れ検出の出力である補正量が所定値のときに振れ補正を開始するように制御するステップの制御モジュールを有する制御プログラムを格納したことを特徴とする。
【手続補正１２】
【補正対象書類名】明細書
【補正対象項目名】００３４
【補正方法】変更
【補正の内容】
【００３４】
また、上記第２の目的を達成するために請求項２４記載の記憶媒体は、撮像装置を制御するための制御プログラムを格納する記憶媒体であって、被写体像の変倍を行い、前記変倍の倍率を検出し、撮像装置の振れを検出し、該振れ検出の検出結果に応じて撮影像の振れを補正し、撮影像の振れを補正するか否かを選択し、その選択結果に応じて撮影像の振れ補正を開始させる際に前記振れ検出の出力である補正量が所定値のときに振れ補正を開始するように制御するステップの制御モジュールを有する制御プログラムを格納したことを特徴とする。
【手続補正１３】
【補正対象書類名】明細書
【補正対象項目名】００３６
【補正方法】変更
【補正の内容】
【００３６】
また、上記第２の目的を達成するために請求項２６記載の記憶媒体は、請求項２４記載の記憶媒体において、前記制御プログラムは、前記振れ検出の出力である補正量に前記倍率検出の出力に応じて所定利得を乗ずるステップの制御モジュールを有すること特徴とする。    
【手続補正１４】
【補正対象書類名】明細書
【補正対象項目名】００６６
【補正方法】変更
【補正の内容】
【００６６】
【発明の効果】
以上詳述したように本発明の撮像方法及び装置によれば、振れ補正開始時に撮影者及び撮影像に違和感を与えずに、撮影者が振れ補正を要求（選択）してから振れ補正効果が現れるまでに要する時間を短縮することができるという効果を奏する。